【事件の表示】
　特願２００７−２６２６５８「プリントシステム、画像表示装置、画像表示方法及び画像表示プログラム」拒絶査定不服審判事件〔平成２１年　４月３０日出願公開、特開２００９−　９４７３６〕について、次のとおり審決する。
【結　論】
　本件審判の請求は、成り立たない。
【理　由】
第１．手続の経緯  
　本願は、平成１９年１０月５日の出願であって、平成２３年７月２０日付で拒絶の理由が通知され、平成２３年９月１６日付で意見書・手続補正書が提出されたものの、平成２４年１月２７日付で拒絶査定がなされたものである。  
　本件は、上記拒絶査定を不服として平成２３年５月１日付で請求された拒絶査定不服審判であって、平成２４年１１月２６日付で最後の拒絶理由通知として拒絶の理由が通知され、平成２５年１月２１日付で意見書・手続補正書が提出されている。
　
第２．平成２５年１月２１日付手続補正書による手続補正に対する補正の却下の決定
［補正の却下の決定の結論］
　 
　平成２５年１月２１日に提出された手続補正書による手続補正を却下する。
　
［理由]
１．補正の内容
　平成２５年１月２１日に提出された手続補正書による補正（以下「本件補正」という。）は、補正前の明細書の特許請求の範囲の請求項１，１３，１４，１５を補正して、補正後の明細書の特許請求の範囲の請求項１，１３，１４，１５とするとともに、明細書段落【０００８】【０００９】【００１０】【００１１】を補正し、段落【００４４】を削除するものであり、補正前後の請求項１は各々次のとおりである。
　
[補正前の請求項１(平成２３年９月１６日付手続補正書で補正されたもの)]「【請求項１】
　一の印刷画像データを複数の印刷サイズに亘って印刷するプリントシステムにおいて、印刷画像データを表示する画像表示装置と、
　上記画像表示装置で表示され、選択された一の印刷画像データを複数の印刷サイズに亘って印刷するプリンタ装置とを備え、
　上記画像表示装置は、
　上記印刷画像データが格納される記録手段と、
　上記記録手段に格納された印刷画像データを表示する表示手段と、
　選択された上記印刷画像データ上に印刷時に選択可能な印刷サイズの枠データを全て上記表示手段に同時に表示させる制御手段とを有することを特徴とするプリントシステム。」　
　
[補正後]
「【請求項１】
　一の印刷画像データを複数の印刷サイズに亘って印刷するプリントシステムにおいて、
　印刷画像データを表示する画像表示装置と、
　上記画像表示装置で表示され、選択された一の印刷画像データを複数の印刷サイズに亘って印刷するプリンタ装置とを備え、
　上記画像表示装置は、
　上記印刷画像データが格納される記録手段と、
　上記記録手段に格納された印刷画像データを表示する表示手段と、
　選択された上記印刷画像データ上に印刷時に
上記プリンタ装置で印刷
　
２．補正の適否
　本願の願書に最初に添付した明細書、特許請求の範囲又は図面には以下の記載がある。
　
「【発明が解決しようとする課題】
【０００７】
　本発明は、このような従来の事情に鑑みて提案されたものであり、一の印刷画像データを複数の印刷サイズに亘って印刷する際に、一の印刷画像データを印刷する複数の印刷サイズの印刷領域を一目で確認することができ、各印刷サイズ間の印刷領域の関係も把握しやすくすることができるプリントシステム、画像表示装置、画像表示方法及び画像表示プログラムを提供することを目的とする。」
「【発明の効果】
【００１２】
　本発明によれば、記録手段に格納された印刷画像データを表示手段に表示し、選択された印刷画像データ上に複数の印刷サイズの枠データを表示手段に同時に表示させることで、一の印刷画像データを印刷する複数の印刷サイズの印刷領域を容易に確認することができ、それぞれの印刷サイズ間の印刷領域の関係も容易に把握することができる。」
「【００１３】
　また、本発明によれば、一の印刷画像データの編集処理を、一の印刷画像データを印刷する複数の印刷サイズの印刷領域を把握しながら行うことができる。更に、本発明によれば、一の印刷画像データに編集処理を行うことで、一の印刷画像データを印刷する複数の印刷サイズの編集を行うことができる。」
「【００２３】
  記憶部１７は、ハードディスク等で構成されており、印刷のログデータ等を記録する。例えば、記憶部１７には、ログデータとして、印刷画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリＩ／Ｆ１１、光ディスクドライブ１２、メモリカードリーダ１３等に装着されたリムーバル記録媒体に格納することもできる。また、記憶部１７には、プリンタ装置３０で印刷可能な印刷サイズの印刷領域やフレーム等のデータが格納される。」
『【００４３】
  特殊メニューアイコン５１ｂのうち、「Portrait Package」アイコンがタッチされると、制御部２１は、タッチパネル１５の表示を図５に示すポートレート内容確認画面５２に移行させる。ポートレート内容確認画面５２には、図５に示すように、選択された印刷画像データが印刷される複数の印刷サイズと、これら印刷サイズ毎の印刷枚数と、料金とが表示されている。』
「【００４４】
  なお、印刷サイズや印刷枚数は、図５に示したものに限定されるものではなく、適宜追加、変更、削除することができる。また、ユーザが、ポートレート内容確認画面５２で変更操作を行うことで、印刷サイズや印刷枚数の組み合わせが異なる他のパッケージに変更できるようにしてもよい。」
「【００５３】
  写真表示部７０には、印刷画像選択画面５３で選択された印刷画像データが表示され、この印刷画像データ上に、例えば３．５×５インチ、４×６インチ、５×７インチ、６×８インチ、８×１０インチの印刷サイズの印刷領域を示す印刷領域枠７１ａ，７１ｂ，７１ｃ，７１ｄ，７１ｅが表示される。（以下、印刷領域枠７１ａ，７１ｂ，７１ｃ，７１ｄ，７１ｅを、単に、印刷領域枠７１ともいう。）。」
「【００５４】
  これらの印刷領域枠７１は、それぞれ印刷サイズが異なるものであるが、選択された印刷画像データが写真表示部７０に表示される際に、アスペクト比を維持して写真表示部７０に表示された印刷画像データ上に同時に表示される。これにより、ユーザは、写真表示部７０を見ることで、選択された印刷画像データを印刷する各印刷サイズの印刷領域を一目で確認することができ、印刷サイズ間の印刷領域の関係も容易に把握することができる。」
「【図５】
」
「【図７】
」
　
　これら、上記段落【００４３】【００５３】及び【図５】【図７】の記載からは、上記【図５】に記載される「選択された印刷画像データが印刷される複数の印刷サイズ」と、上記【図７】において表示されている「印刷領域枠７１ａ，７１ｂ，７１ｃ，７１ｄ，７１ｅ」が、いずれも「３．５×５インチ、４×６インチ、５×７インチ、６×８インチ、８×１０インチの印刷サイズ」に関するものであって、互いに一致していることをよみとることができる。
　
　ここで、発明が解決しようとする課題が記載されている上記段落【０００７】には「一の印刷画像データを複数の印刷サイズに亘って印刷する際に、一の印刷画像データを印刷する複数の印刷サイズの印刷領域を一目で確認することができ」と記載され、発明の効果が記載されている上記段落【００１２】には「選択された印刷画像データ上に複数の印刷サイズの枠データを表示手段に同時に表示させることで、一の印刷画像データを印刷する複数の印刷サイズの印刷領域を容易に確認することができ」と、上記段落【００１３】には「一の印刷画像データの編集処理を、一の印刷画像データを印刷する複数の印刷サイズの印刷領域を把握しながら行うことができる。」と記載されている。そして、これら段落に記載される「確認」ないし「把握」の対象となる「複数の印刷サイズの印刷領域」として、仮に「プリンタ装置３０で印刷可能な印刷サイズ」ではあるものの、選択された印刷画像データが実際には印刷されない印刷サイズのものをも含むと解釈すると、「確認」ないし「把握」する必要がない印刷領域についても表示手段に表示されることとなり、画面が無駄に煩雑となってしまうから、「確認」ないし「把握」の対象となる「複数の印刷サイズの印刷領域」とは「一の印刷画像データを複数の印刷サイズに亘って印刷する際」のもの、すなわち、実際に印刷される印刷サイズのものであると解釈するのが自然である。
　そして、上記段落【００４４】には「また、ユーザが、ポートレート内容確認画面５２で変更操作を行うことで、印刷サイズや印刷枚数の組み合わせが異なる他のパッケージに変更できるようにしてもよい。」との記載があるから、上記【図５】に記載される「選択された印刷画像データが印刷される複数の印刷サイズ」とは、「ユーザが、ポートレート内容確認画面５２で変更操作を行うことで、印刷サイズや印刷枚数の組み合わせが異なる他のパッケージに変更」した結果、この「プリンタ装置３０で印刷可能な印刷サイズ」の中から「選択された印刷画像データが印刷される複数の印刷サイズ」と解釈すべきものであって、このように解釈すると、上記段落【０００７】【００１２】【００１３】の記載とも矛盾しない。
　すなわち、表示される「印刷領域枠７１ａ，７１ｂ，７１ｃ，７１ｄ，７１ｅ」については、「ユーザが、ポートレート内容確認画面５２で変更操作を行うことで、印刷サイズや印刷枚数の組み合わせが異なる他のパッケージに変更」した結果、この「プリンタ装置３０で印刷可能な印刷サイズ」の中から「選択された印刷画像データが印刷される複数の印刷サイズ」についての「印刷領域枠」であると解釈すべきである。
　
　これに対し、平成２５年１月２１日付手続補正書で補正された請求項１に係る発明の「選択された上記印刷画像データ上に印刷時に
上記プリンタ装置で印刷
プリンタ装置で印刷
　
　そして、このような解釈を前提として、この点と、上記段落【０００７】【００１２】【００１３】【００２３】【００４３】【００４４】【００５３】【００５４】及び【図５】【図７】に記載された事項を比較すると、請求項１に係る発明において表示される「印刷サイズの枠データ」とは、請求項１に係る発明であるプリントシステムのプリンタ装置が印刷可能な印刷サイズ全てについての枠データであると解釈すべきものであるのに対し、これら段落及び図面に記載されているのは『「ユーザが、ポートレート内容確認画面５２で変更操作を行うことで、印刷サイズや印刷枚数の組み合わせが異なる他のパッケージに変更」した結果、この「プリンタ装置３０で印刷可能な印刷サイズ」の中から「選択された印刷画像データが印刷される複数の印刷サイズ」についての「印刷領域枠」』であって、前者は「印刷可能な印刷サイズ全てについての枠データ」という印刷サイズに関する選択を行う前の概念であるのに対し、後者は「ユーザが、ポートレート内容確認画面５２で変更操作を行うことで、印刷サイズや印刷枚数の組み合わせが異なる他のパッケージに変更」という印刷サイズに関する選択を行った結果に関する概念である点で、互いに異なっている。
　したがって、平成２５年１月２１日付手続補正書で補正された請求項１に係る発明の「選択された上記印刷画像データ上に印刷時に
上記プリンタ装置で印刷
プリンタ装置で印刷
　
　更に、この点は、本願の出願当時の技術常識に照らし、これら段落【０００７】【００１２】【００１３】【００２３】【００４３】【００４４】【００５３】【００５４】及び【図５】【図７】以外を含めた、この出願の願書に最初に添付した明細書、特許請求の範囲又は図面の記載のすべての記載を総合することにより導かれる技術的事項との関係においても、新たな技術的事項に該当する。
　
　よって、平成２５年１月２１日付手続補正書で補正された請求項１の「
プリンタ装置で印刷
　
　したがって、本件補正は、願書に最初に添付した明細書、特許請求の範囲又は図面に記載した範囲内においてしたものではない。
　
３．補正却下の決定のむすび
　よって，本件補正は，特許法第１７条の２第３項の規定を満たしていないので，同法第１５９条第１項において読み替えて準用する同法第５３条第１項の規定により却下すべきものである。
　
第３．特許請求の範囲の記載
　平成２５年１月２１日付手続補正書による手続補正は上記のとおり却下されたので、本願の特許請求の範囲の請求項１の記載は、平成２３年９月１６日付手続補正書で補正されたとおりの以下のものである。
　
「【請求項１】
　一の印刷画像データを複数の印刷サイズに亘って印刷するプリントシステムにおいて、印刷画像データを表示する画像表示装置と、
　上記画像表示装置で表示され、選択された一の印刷画像データを複数の印刷サイズに亘って印刷するプリンタ装置とを備え、
　上記画像表示装置は、
　上記印刷画像データが格納される記録手段と、
　上記記録手段に格納された印刷画像データを表示する表示手段と、
　選択された上記印刷画像データ上に
印刷時に選択可能な
全て
　
第４．平成２４年１１月２６日付拒絶理由通知の概要
　平成２４年１１月２６日付で最後の拒絶理由通知として通知した拒絶の理由の概要は以下のとおりである。
　
「平成２３年９月１６日付けでした手続補正は、願書に最初に添付した明細書、特許請求の範囲又は図面に記載した事項の範囲内においてしたものでないから、特許法第１７条の２第３項に規定する要件を満たしていない。」
　
第５．新規事項
　上記したように、平成２３年９月１６日付手続補正書で補正された請求項１には「選択された上記印刷画像データ上に
印刷時に選択可能な
全て
　これに対して、本願の願書に最初に添付した明細書、特許請求の範囲又は図面には、上記「第２．平成２５年１月２１日付手続補正書による手続補正に対する補正の却下の決定」「２．補正の適否」で摘記したような記載があり、それら記載からみて、上記したとおり、本願の願書に最初に添付した明細書、特許請求の範囲又は図面に記載された発明で表示される「印刷領域枠７１ａ，７１ｂ，７１ｃ，７１ｄ，７１ｅ」については、「ユーザが、ポートレート内容確認画面５２で変更操作を行うことで、印刷サイズや印刷枚数の組み合わせが異なる他のパッケージに変更」した結果、この「プリンタ装置３０で印刷可能な印刷サイズ」の中から「選択された印刷画像データが印刷される複数の印刷サイズ」についての「印刷領域枠」であると解釈すべきものである。
　そして、平成２３年９月１６日付手続補正書で補正された請求項１の「選択された上記印刷画像データ上に
印刷時に選択可能な
全て
印刷時に選択可能な
選択の対象となる印刷サイズ
選択された印刷サイズ
　また、平成２３年９月１６日付手続補正書で補正された請求項１の「
印刷時に選択可能な
　
　よって、平成２３年９月１６日付手続補正書で補正された請求項１の「選択された上記印刷画像データ上に
印刷時に選択可能な
全て
　
第５．むすび
　以上のとおり、平成２３年９月１６日付けでした手続補正は、願書に最初に添付した明細書、特許請求の範囲又は図面に記載した事項の範囲内においてしたものでないから、特許法第１７条の２第３項に規定する要件を満たしていない。
　
　よって、結論のとおり審決する。